(57)【要約】      （修正有）【課題】歯を磨いて汚れを除去した後の水気が発散しやすく、細菌の繁殖を防止できる歯ブラシのヘッドを提供する。【解決手段】歯ブラシのヘッドは、本体１０と、複数の刷毛凹部１１と、複数の貫通穴１２と、を有し、本体は、細長状のブロックであり、上面及び底面を備え、刷毛凹部は、それぞれが連通しないように間隔をおいて本体の上面に凹設され、先毛が植えつけられ、貫通穴は、本体の上面及び底面を貫通するように、それぞれ間隔をおいて形成されている。刷毛に残っている水気が貫通穴を通って本体の上面から底面へ流れ、水気が残ることはないと共に、乾燥した空気が貫通穴を通って刷毛の根部の周りに流れるため、刷毛が早く乾く。【選択図】図１
0003206162.tif 000002
【実用新案登録請求の範囲】
【請求項１】
上面及び底面を備える、細長状のブロックである本体と、
それぞれが連通しないように間隔をおいて前記上面に凹設され、先毛が植えつけられる、複数の刷毛凹部と、
前記上面及び底面を貫通するように、それぞれ間隔をおいて本体に形成される、複数の貫通穴と、を有することを特徴とする歯ブラシのヘッド。
【請求項２】
前記本体の底面に緩和部材が取り付けられ、該緩和部材に、貫通穴と連通する複数の流通穴が形成されることを特徴とする請求項１に記載の歯ブラシのヘッド。
【請求項３】
前記緩和部材が底面をカバーすることを特徴とする請求項２に記載の歯ブラシのヘッド。
【請求項４】
前記緩和部材の底面に複数の突出部が凸設され、該突出部が流通穴の周りに配置されることを特徴とする請求項２に記載の歯ブラシのヘッド。
【請求項５】
前記突出部が球状または半円球状を呈することを特徴とする請求項４に記載の歯ブラシのヘッド。
【請求項６】
厚さを有すると共に、環状を呈するように、内部にスペースを備える周縁部と、
それぞれ間隔をおいて前記周縁部のスペースに設けられる複数の筒状部と、
前記筒状部と周縁部とを連結するようにスペースに設けられる複数のリブと、
前記筒状部の周りに配置されると共に、周縁部と筒状部とリブとの間に形成される複数の貫通穴を備える、本体を有することを特徴とする歯ブラシのヘッド。
【請求項７】
前記本体の底部に緩和部材が取り付けられ、該緩和部材は、リムと、複数の突出部と、複数の連接部を備え、そのうち、該リムは、前記周縁部の底部に設けられ、該突出部は、前記筒状部の底面に設けられ、該連接部は、前記リブの底面に設けられることを特徴とする請求項６に記載の歯ブラシのヘッド。
【請求項８】
前記突出部が球状を呈することを特徴とする請求項７に記載の歯ブラシのヘッド。
【請求項９】
前記突出部が半円球状を呈することを特徴とする請求項７に記載の歯ブラシのヘッド。
【請求項１０】
前記周縁部と筒状部とリブが一体に形成されると共に、前記リムと突出部と連接部が一体に形成されることを特徴とする請求項７〜９の何れか１項に記載の歯ブラシのヘッド。
【考案の詳細な説明】
【技術分野】
【０００１】
本考案は、特に歯を磨いて汚れや歯垢、食物残渣などを除去するための歯ブラシのヘッドに関するものである。
【背景技術】
【０００２】
既存の歯ブラシは、先端からヘッド、ネック、ハンドルを備え、さらにヘッドに繊維の束からなる刷毛が間隔をおいて配置されている。また、使用者が歯ブラシを使用する時は、刷毛を歯のあらゆる面や、歯と歯ぐきの境目、歯と歯の間にあてながら擦るように磨いて汚れや歯垢、食物残渣などを取り除く。
【考案の概要】
【考案が解決しようとする課題】
【０００３】
しかしながら、既存の歯ブラシは、ヘッドに刷毛を配置するための凹部しか形成されていないと共に、他の部分は如何なる構成も有しない単なる固体構造であることから、使用後の水気が発散しにくく細菌が繁殖しやすいという問題があった。
【課題を解決するための手段】
【０００４】
本考案の歯ブラシのヘッドは、上面及び底面を備える、細長状のブロックである本体と、それぞれが連通しないように間隔をおいて前記上面に凹設され、先毛が植えつけられる、複数の刷毛凹部と、前記上面及び底面を貫通するように、それぞれ間隔をおいて本体に形成される、複数の貫通穴と、を有する。
【０００５】
かかる歯ブラシのヘッドにおいて、前記本体の底面に緩和部材が取り付けられ、該緩和部材に、貫通穴と連通する複数の流通穴が形成されることが好ましい。
【０００６】
かかる歯ブラシのヘッドにおいて、前記緩和部材が底面をカバーすることが好ましい。
【０００７】
かかる歯ブラシのヘッドにおいて、前記緩和部材の底面に複数の突出部が凸設され、該突出部が流通穴の周りに配置されることが好ましい。
【０００８】
かかる歯ブラシのヘッドにおいて、前記突出部が球状または半円球状を呈することが好ましい。
【０００９】
本考案の歯ブラシのヘッドは、厚さを有すると共に、環状を呈するように、内部にスペースを備える周縁部と、
それぞれ間隔をおいて前記周縁部のスペースに設けられる複数の筒状部と、
前記筒状部と周縁部とを連結するようにスペースに設けられる複数のリブと、
前記筒状部の周りに配置されると共に、周縁部と筒状部とリブとの間に形成される複数の貫通穴を備える、本体を有する。
【００１０】
かかる歯ブラシのヘッドにおいて、前記本体の底部に緩和部材が取り付けられ、該緩和部材は、リムと、複数の突出部と、複数の連接部を備え、そのうち、該リムは、前記周縁部の底部に設けられ、該突出部は、前記筒状部の底面に設けられ、該連接部は、前記リブの底面に設けられることが好ましい。
【００１１】
かかる歯ブラシのヘッドにおいて、前記突出部が球状を呈することが好ましい。
【００１２】
かかる歯ブラシのヘッドにおいて、前記突出部が半円球状を呈することが好ましい。
【００１３】
かかる歯ブラシのヘッドにおいて、前記周縁部と筒状部とリブが一体に形成されると共に、前記リムと突出部と連接部が一体に形成されることが好ましい。
【考案の効果】
【００１４】
本考案の歯ブラシのヘッドは、刷毛凹部または筒状部の周りに貫通穴が設置されていることから、該刷毛に残っている水気が貫通穴を通って本体の上面から底面へ流れることから、水気が残ることはなく、さらに、乾燥した空気が貫通穴を通って刷毛の根部の周りに流れることから、空気の流通がよいため、刷毛が早く乾く。
【図面の簡単な説明】
【００１５】
【図１】本考案に係る歯ブラシのヘッドにおける第一実施例の上面視斜視図である。
【図２】本考案に係る歯ブラシのヘッドにおける第一実施例の上面視分解斜視図である。
【図３】本考案に係る歯ブラシのヘッドにおける第一実施例の側面視断面図である。
【図４】本考案に係る歯ブラシのヘッドにおける第一実施例の底部を示す斜視図である。
【図５】本考案に係る歯ブラシのヘッドにおける第二実施例の上面視斜視図である。
【図６】本考案に係る歯ブラシのヘッドにおける第二実施例の底部を示す斜視図である。
【考案を実施するための形態】
【００１６】
図１に示すように、本考案に係る歯ブラシのヘッドの第一実施例は、本体１０と、複数の刷毛凹部１１と、複数の貫通穴１２と、緩和部材１３を有する。
【００１７】
図２及び図３に示すように、前記本体１０は、細長状のブロックであり、上面１０１及び底面１０２を備え、前記複数の刷毛凹部１１はそれぞれ連通しないように間隔をおいて上面１０１に凹設されると共に、該各刷毛凹部１１に、上面１０１から伸びるように刷毛１４が植えつけられる。
【００１８】
前記複数の貫通穴１２は、刷毛凹部１１の隣に配置され、上面１０１及び底面１０２を貫通するように本体１０に形成される。
尚、本実施例においては、その刷毛凹部１１の数量が貫通穴１２の数量よりも多いと共に、それらの刷毛凹部１１は、貫通穴１２と連通しないように該貫通穴１２の周囲に配置される。
【００１９】
前記緩和部材１３は、底面１０２をカバーするように、該底面１０２に取り付けられると共に、貫通穴１２の位置及び形状と対応するように複数の流通穴１３１が形成され、該流通穴１３１は、対応する貫通穴１２と連通し、また、該流通穴１３１の内径が貫通穴１２の内径よりも略大きい構造となっている。
【００２０】
図４に示すように、前記緩和部材１３の底面に複数の突出部１３２が凸設され、該突出部１３２は、球状または半円球状を呈し、それらの突出部１３２は、流通穴１３１の周囲に配置されるように、緩和部材１３と一体に成形され、その突出部１３２の数量は、流通穴１３１の数量よりも多く、且つ軟質ゴムまたは軟質プラスチックからなり、粘着手段や、射出成型手段などによって、底面１０２の下側に取り付けられる。
【００２１】
図５に示すように、本考案の歯ブラシのヘッドの第二実施例は、本体２０を有し、該本体２０は、周縁部２１と、複数の筒状部２２と、複数のリブ２３と、複数の貫通穴２４を備え、その内、周縁部２１は、所定の厚さを有し、環状を呈して内部にスペース（図示せず）が形成され、該複数の筒状部２２はそれぞれ、間隔をおいて周縁部２１のスペースに設置され、該複数のリブ２３は、各筒状部２２と周縁部２１を連結させるようにスペースに設置される。尚、本実施例においては、周縁部２１、筒状部２２、リブ２３が一体に形成され、他の実施例においては、それらの筒状部２２が直接に周縁部２１と連結するように設けられてもよい。
【００２２】
また、その周縁部２１と筒状部２２とリブ２３との間に貫通穴２４が形成される。尚、本実施例においては、それらの貫通穴２４が筒状部２２の周囲に配置され、その数量が筒状部２２の数量よりも多いことが好ましい。
【００２３】
図６に示すように、前記本体２０の底部に緩和部材２５が取り付けられ、該緩和部材２５は、リム２５１と、複数の突出部２５２と、複数の連接部２５３を備え、そのうち、リム２５１は、周縁部２１の底部に設けられ、該突出部２５２は、筒状部２２の底面に設けられ、該連接部２５３は、リブ２３の底面に設けられ、それらリム２５１、突出部２５２、連接部２５３は一体に形成される。また、それらリム２５１と突出部２５２と連接部２５３との間に流通穴２５４が形成され、該流通穴２５４は、貫通穴２４と上下方向に対応している。
【００２４】
前記実施例における、本考案の歯ブラシのヘッドは、刷毛凹部１１または筒状部２２の周囲に貫通穴１２、２４が形成されることから、刷毛１４に残っている水気が貫通穴１２、２４を通って本体１０、２０の上面１０１から底面１０２へ流れることから、水気が残ることはなく、さらに、乾燥した空気が貫通穴１２、２４を通って刷毛１４の根部の周囲をスムーズに流れることから、刷毛１４を早く乾かすことができる。
【００２５】
また、本体１０、２０の上面１０１における刷毛１４の間に食物残渣が残っている場合は、歯ブラシを流水で洗い流せば、食物残渣を本体１０の上面１０１の貫通穴１２、貫通穴２４から取り除くことができ、もし食物残渣のサイズが大きく貫通穴１２、２４を通過できない場合には、爪楊枝などの細長い道具を使って食物残渣を上面１０１から取り除けばよいので、食物残渣の残留を防いで、細菌の繁殖を抑えることができる。
【００２６】
本考案に係る歯ブラシのヘッドにおける本体１０、２０は硬質材料からなることから、歯を磨く時、本体１０、２０により口腔内部を摩擦したりして違和感があるが、軟質の緩和部材１３、２５によって違和感を軽減することができ、一方、その球状または半円球状を呈する突出部１３２によって、歯を磨く時に口腔内部、歯茎、舌などをマッサージすることができる。
【００２７】
本考案に係る歯ブラシのヘッドは、本体１０、２０の刷毛１４の近傍に貫通穴１２、２４を形成することによって、空気の流通がよくなり、刷毛１４に残留している水気が貫通穴１２、２４を通って排出されて乾きがよくなると共に、爪楊枝などの道具を用いて貫通穴１２、２４から食物残渣を除去することも簡単となるので、口腔内部における細菌の繁殖を防止することができる。
さらに、その突出部１３２及びリム２５１は、軟質プラスチックからなることから、歯を磨く時の違和感を軽減できると共に、口腔内部、歯茎、舌をマッサージすることもできる。
【符号の説明】
【００２８】
１０  本体
１１  刷毛凹部
１２  貫通穴
１３  緩和部材
１０１  上面
１０２  底面
１４  刷毛
１３１  流通穴
１３２  突出部
２０  本体
２１  周縁部
２２  筒状部
２３  リブ
２４  貫通穴
２５  緩和部材
２５１  リム
２５２  突出部
２５３  連接部
２５４  流通穴
【図１】
0003206162.tif 000003
【図２】
0003206162.tif 000004
【図３】
0003206162.tif 000005
【図４】
0003206162.tif 000006
【図５】
0003206162.tif 000007
【図６】
0003206162.tif 000008